(57)【要約】【課題】プリント配線基板の大型化を抑えつつ、複数のデータを出力することが可能な空気調和装置を提供する。【解決手段】ＥＥＰＲＯＭ１０、スイッチ２０と、プリント配線基板３０と、を備えている。ＥＥＰＲＯＭ１０は、プリント配線基板３０が取得する空調に関するオプション機能の実行の有無および圧縮機６１の駆動状況との少なくとも２つのデータを記録する。スイッチ２０は、２つのデータのうちのいずれか一方を示す表示設定データを受付ける。プリント配線基板３０は、オプション機能の実行の有無および圧縮機６１の駆動状況のいずれかのデータを択一的に出力する出力ポート３５を有しており、出力ポート３５からのデータ出力処理をスイッチ２０が受付けた表示設定データに応じて行う。【選択図】図１
2007333245.tif 000002
【特許請求の範囲】
【請求項１】
前記空調に関する第１データおよび第２データとの少なくとも２つのデータを取得する空調データ取得部（３０）と、
前記２つのデータのうちのいずれか一方を示す選択を受付ける選択部（２０）と、
前記第１データおよび前記第２データのいずれかのデータを択一的に出力する出力手段（３５）を有し、前記出力手段（３５）からのデータ出力を前記選択部（２０）が受付けた選択に応じて行うデータ処理部（３０）と、
を備えた空気調和装置（１００、２００）。
【請求項２】
前記選択部（２０）が受付けた選択が前記データ処理部（３０）によって選択データとして記録される不揮発性記憶部（１０）をさらに備え、
前記データ処理部（３０）は、前記データ出力を前記選択データに応じて行う、
請求項１に記載の空気調和装置（１００）。
【請求項３】
前記データ処理部（３０）は、前記選択部（２０）が受付けた最新の選択を選択データとして前記不揮発性記憶部（１０）に記録する処理を前記データ出力の前に完了させ、前記データ出力を行う時点において前記不揮発性記録部（１０）に記録されている前記選択データに応じたデータ出力を行う、
請求項２に記載の空気調和装置（１００）。
【請求項４】
外部から電力の供給を受ける電力取得部（５０）をさらに備え、
前記データ処理部（３０）は、前記電力取得部（５０）に対する電力の供給が開始された時点において前記不揮発性記憶部（１０）に記録されている前記選択データに応じて前記データ出力を行う、
請求項２に記載の空気調和装置（１００、２００、３００）。
【請求項５】
前記選択部（２０）は、２つの状態を切り換えるスイッチである、
請求項１から４のいずれか１項に記載の空気調和装置（１００、２００）。
【請求項６】
前記空調に関する第１データおよび第２データとの少なくとも２つのデータを取得する空調データ取得部（３０）と、
前記２つのデータのうちのいずれか一方を示す選択データを有する選択記憶部（１０）と、
前記第１データおよび前記第２データのいずれかのデータを択一的に出力する出力手段（３５）を有し、前記出力手段（３５）からのデータ出力を前記選択データに応じて行うデータ処理部（３０）と、
を備えた空気調和装置（３００）。
【請求項７】
前記選択記憶部（１０）は、不揮発性である、
請求項６に記載の空気調和装置（３００）。
【請求項８】
前記第１データは、前記空調のオプション機能に関するデータであり、
前記第２データは、前記オプション機能とは異なる、圧縮機（６１）もしくは室外送風ファン（６２）の駆動に関するデータである、
請求項１から７のいずれか１項に記載の空気調和装置（１００、２００、３００）。
【請求項９】
前記空調では、通常運転モードと、省エネ運転モードと、の少なくとも２つの運転モードを行い、
前記第１データは、前記運転モードに関するデータである、
請求項１から８のいずれか１項に記載の空気調和装置（１００、２００、３００）。
【請求項１０】
前記データ処理部（３０）は、プリント配線基板によって構成されている、
請求項１から９のいずれか１項に記載の空気調和装置（１００、２００、３００）。
【発明の詳細な説明】
【技術分野】
【０００１】
本発明は、空気調和装置、特に、空調機に関する情報を選択的に出力する空気調和装置に関する。
【背景技術】
【０００２】
空調機の状態を把握する場合には、例えば、空調機に関する運転時間や消費電力量の情報を把握するために、圧縮機等の構成機器の運転状況に関するデータが必要になることがある。例えば、以下に示す特許文献１に記載の機器監視システムでは、各種データを取得する設備を構築して、得られるデータを基に、空調機の監視や制御を行っている。
【０００３】
ここで、空調機に関して新たな監視、制御機能を導入する場合等には、このような構成機器の運転状況について取得するデータの種類を増加させたり変更させたりしたい場合がある。例えば、室外機に設けられた圧縮機の運転状況のデータを取得する機能を予め備えていない設備においては、施工後において圧縮機の運転状況のデータを取得する必要が生じるケースがある。
【０００４】
このような場合、現状では、設備に詳しいエンジニアが現地に出向いて、圧縮機を監視、制御しているプリント配線基板の改造を行うこと等により対処している。ここで、エンジニアは、プリント配線基板上において、例えば、他の構成機器のデータを出力するための出力回路以外に、圧縮機の運転状況のデータを出力するための新たな出力回路を設ける等の処理を行っている。
【特許文献１】特開２００４−０６５８３５号公報
【発明の開示】
【発明が解決しようとする課題】
【０００５】
しかし、このような改造作業は、設備に詳しいエンジニアでなければ困難な場合があり、そのような者がわざわざ現地まで出向いて改造する必要があり、煩雑である。
【０００６】
また、プリント配線基板に予め備わっている出力回路以外に、事後的に別途出力回路を追加する場合には、プリント配線基板の表面積が拡大化してしまうおそれがある。このようなプリント配線基板の表面積の拡大化は、結果として製品の大型化にも繋がる。このような製品の大型化は、設置スペースの確保のために装置のコンパクト化が望まれている今日のニーズに逆行するものであり、好ましくない。
【０００７】
本発明は、上述した点に鑑みてなされたものであり、本発明の課題は、プリント配線基板等のデータ処理機器の大型化を抑えつつ、複数のデータを出力することが可能な空気調和装置を提供することにある。
【課題を解決するための手段】
【０００８】
第１発明に係る空気調和装置は、空調データ取得部と、選択部と、データ処理部と、を備えている。空調データ取得部は、空調に関する第１データおよび第２データとの少なくとも２つのデータを取得する。選択部は、２つのデータのうちのいずれか一方を示す選択を受付ける。データ処理部は、第１データおよび第２データのいずれかのデータを択一的に出力する出力手段を有しており、出力手段からのデータ出力を選択部が受付けた選択に応じて行う。
【０００９】
ここでは、ユーザは、選択部によって、第１データか第２データかのいずれかの選択を行うことができる。そして、データ処理部は、選択部を介してユーザから受付けた第１データか第２データかのいずれかの選択を、１つの出力手段を切り換えて用いながら、データ出力に反映させることができる。
【００１０】
これにより、出力手段が一つで足り、データ処理部の大型化を抑えつつ、複数のデータを選択的に出力させることが可能になる。
【００１１】
第２発明に係る空気調和装置は、第１発明の空気調和装置において、選択部が受付けた選択がデータ処理部によって選択データとして記録される不揮発性記憶部をさらに備えている。そして、データ処理部は、データ出力を選択データに応じて行う。
【００１２】
ここでは、選択データは不揮発性記憶部に記録されているため、電力の供給が途絶えることがあっても、記録されている選択データを消滅することなく保持させることができる。
【００１３】
これにより、電力の供給が途絶えることがあっても、データ処理部は、ユーザが望む選択状態を維持したままで復電後においてもデータ出力を続行することが可能になる。
【００１４】
第３発明に係る空気調和装置は、第２発明の空気調和装置において、データ処理部は、選択部が受付けた最新の選択を選択データとして不揮発性記憶部に記録する処理をデータ出力の前に完了させる。そして、データ処理部は、データ出力を行う時点において不揮発性記録部に記録されている選択データに応じたデータ出力を行う。
【００１５】
ここでは、データ出力が行われる前に、選択データが最新のデータに更新されているため、不揮発性記憶部に記憶されている選択データに応じてデータ出力を行うデータ処理部は、常に最新の選択データに応じたデータ出力を行うことが可能になる。
【００１６】
第４発明に係る空気調和装置は、第２発明の空気調和装置において、外部から電力の供給を受ける電力取得部をさらに備えている。そして、データ処理部は、電力取得部に対する電力の供給が開始された時点において不揮発性記憶部に記録されている選択データに応じてデータ出力を行う。
【００１７】
ここでは、電力の供給が開始された時点における設定データに応じたデータ出力を行うことで初期設定を維持することができる。
【００１８】
これにより、電力の供給が持続されている運転途中における表示出力の不意の切り換えを防止して、表示出力の安定性を向上させることが可能になる。
【００１９】
第５発明に係る空気調和装置は、第１発明から第４発明のいずれかの空気調和装置において、選択部は、２つの状態を切り換えるスイッチである。ここで、スイッチとしては、例えば、ディップスイッチやボタンスイッチ等も含まれる。
【００２０】
ここでは、２つの状態を切り換えるだけの簡易な構成によって選択データの切り換えに反映させることが可能になる。
【００２１】
第６発明に係る空気調和装置は、空調データ取得部と、選択記憶部と、データ処理部と、を備えている。空調データ記憶部は、空調に関する第１データおよび第２データとの少なくとも２つのデータを取得する。選択記憶部は、２つのデータのうちのいずれか一方を示す選択データを有している。データ処理部は、第１データおよび第２データのいずれかのデータを択一的に出力する出力手段を有しており、出力手段からのデータ出力を選択データに応じて行う。なお、取得される第１データや第２データが不揮発性の記憶部に記録されるような場合も含まれる。
【００２２】
ここでは、ユーザは、予め選択記憶部において第１データか第２データかのいずれかの選択データを記録させておく。そして、データ処理部は、選択記憶部が有しているユーザから受付けた第１データか第２データかのいずれかの選択データに従って、１つの出力手段を切り換えて用いながら、データ出力に反映させることができる。
【００２３】
これにより、出力手段が一つで足り、データ処理部の大型化を抑えつつ、複数のデータを選択的に出力させることが可能になる。
【００２４】
なお、副次的な効果として、選択データが予め記録されているため、選択するデータを入力したり、選択をスイッチなどにより切り換えたりする構成が不要となり、構成を簡素化させることができる。
【００２５】
第７発明に係る空気調和装置は、第６発明の空気調和装置において、選択記憶部は、不揮発性である。
【００２６】
ここでは、選択記憶部が不揮発性であるため、電力の供給が途絶えることがあっても、記録されている選択データを消滅することなく保持させることができる。
【００２７】
これにより、電力の供給が途絶えることがあっても、データ処理部は、ユーザが望む選択状態を維持したままで復電後においてもデータ出力を続行することが可能になる。
【００２８】
第８発明に係る空気調和装置は、第１発明から第７発明のいずれかの空気調和装置において、第１データは、空調のオプション機能に関するデータである。そして、第２データは、第１オプション機能とは異なる、圧縮機もしくは室外送風ファンの駆動に関するデータである。
【００２９】
ここでは、第１データと第２データとの出力を切り換えることで、オプション機能としての位置付けに過ぎないデータの出力が得られない場合であっても、圧縮機等の駆動に関するデータの出力を得ることが可能になる。
【００３０】
第９発明に係る空気調和装置は、第１発明から第７発明のいずれかの空気調和装置において、通常運転モードと、省エネ運転モードと、の少なくとも２つの運転モードにより空調を行う。そして、第１データは、運転モードに関するデータである。なお、ここで、省エネ運転モードとしては、例えば、所定値以上の高負荷がかかった場合に、打ち水の原理で室外機に水を噴霧する制御を行うことで、運転の安定化や効率の向上を図るモード等が挙げられる。
【００３１】
ここでは、第１データが選択されている場合には、通常運転モードと、省エネ運転モードとのいずれの運転モードが実行されているのか把握することが可能になる。
【００３２】
第１０発明に係る空気調和装置は、第１発明から第９発明のいずれかの空気調和装置において、データ処理部は、プリント配線基板によって構成されている。
【００３３】
ここでは、データ処理が行われるプリント配線基板の表面積の拡大化を抑えることで空気調和装置の大型化を抑えつつ、複数のデータを出力することが可能になる。
【発明の効果】
【００３４】
第１発明の空気調和装置では、出力手段が一つで足り、データ処理部の大型化を抑えつつ、複数のデータを選択的に出力させることが可能になる。
【００３５】
第２発明の空気調和装置では、電力の供給が途絶えることがあっても、データ処理部は、ユーザが望む選択状態を維持したままでのデータ出力を続行することが可能になる。
【００３６】
第３発明の空気調和装置では、常に最新の選択データに応じた出力を行うことが可能になる。
【００３７】
第４発明の空気調和装置では、電力の供給が持続されている運転途中における表示出力の不意の切り換えを防止して、表示出力の安定性を向上させることが可能になる。
【００３８】
第５発明の空気調和装置では、２つの状態を切り換えるだけの簡易な構成によって選択データの切り換えに反映させることが可能になる。
【００３９】
第６発明の空気調和装置では、出力手段が一つで足り、データ処理部の大型化を抑えつつ、複数のデータを選択的に出力させることが可能になる。
【００４０】
第７発明の空気調和装置では、電力の供給が途絶えることがあっても、データ処理部は、ユーザが望む選択状態を維持したままでのデータ出力を続行することが可能になる。
【００４１】
第８発明の空気調和装置では、オプション機能としての位置付けに過ぎないデータの出力が得られない場合であっても、圧縮機等の駆動に関するデータの出力を得ることが可能になる。
【００４２】
第９発明の空気調和装置では、第１データが選択されている場合には、通常運転モードと、省エネ運転モードとのいずれの運転モードが実行されているのか把握することが可能になる。
【００４３】
第１０発明の空気調和装置では、データ処理が行われるプリント配線基板の表面積の拡大化を抑えることで空気調和装置の大型化を抑えつつ、複数のデータを出力することが可能になる。
【発明を実施するための最良の形態】
【００４４】
以下、図面に基づいて、本発明にかかる空気調和装置の実施形態について説明する。
【００４５】
＜空気調和装置１００の概略構成＞
図１に、本発明の一実施形態が採用された空気調和装置１００の概略ブロック構成図を示す。
【００４６】
空気調和装置１００は、対象空間の空気を調和させる伴に、空調に関する複数の運転状況等を切り換えながら表示出力させることで監視を行う装置であって、主として、ＥＥＰＲＯＭ１０、スイッチ２０、プリント配線基板３０、ディスプレイ４０、電力取得部５０、室外機６０、室内機７０、コントローラ８０等によって構成されている。この空調調和装置１００には、冷暖房等の通常の運転モードとは別個に、空調に関するオプション機能として運転時の消費エネルギを抑える省エネ運転モードというオプショナルな機能が採用されている。ここでの省エネ運転モードは、空気調和装置１００に、所定値以上の高負荷がかかった場合において、打ち水の原理で室外機６０の熱交換器等に水を噴霧する制御を行うことで、運転の安定化や効率の向上を図るモードである。
【００４７】
ＥＥＰＲＯＭ１０は、プリント配線基板３０と接続されており、オプション機能データ、圧縮機駆動データ、表示設定データが記録される。このうち、オプション機能データは、省エネ運転モードが実行中であるか否かを示すデータである。また、圧縮機駆動データは、圧縮機が駆動中であるか否かを示すデータである。表示設定データは、プリント配線基板３０によってディスプレイ４０に対して表示出力が行われる場合に、オプション機能データを表示出力するか、圧縮機駆動データを表示出力するか、に関して、いずれかを特定するためのデータである。なお、このＥＥＰＲＯＭ１０は、不揮発性メモリであるため、空調調和装置１００の運転を停止し、電力の供給が途絶えたとしても、上述した各データを消滅させることなく保持することができる。
【００４８】
スイッチ２０は、プリント配線基板３０と接続されており、オプション機能を出力する表示設定と、圧縮機６１の駆動を出力する表示設定と、の２つの表示設定を切り換えることができるようになっている。ユーザは、このスイッチ２０を操作して切り換えることで、オプション機能である省エネ運転モードが実行中であるか否かの表示と、圧縮機６１が駆動しているか否かの表示との表示設定を切り換えることができる。
【００４９】
プリント配線基板３０は、スイッチ２０、ＥＥＰＲＯＭ１０、ディスプレイ４０、室外機６０、室内機７０およびコントローラ８０等のそれぞれに対して接続されており、各部からデータを読み込んだり、読み込んだデータをデータ処理したりする。具体的に、プリント配線基板３０が行うデータ処理としては、スイッチ読込処理、表示設定データ記録処理、表示設定データ読込処理および運転データ出力処理等がある。これらの各データ処理については、後述する。なお、このプリント配線基板３０には、出力ポート３５が１つ設けられている。プリント配線基板３０からの出力処理は、この１つの出力ポート３５を介して行われる。
【００５０】
ディスプレイ４０は、プリント配線基板３０の出力ポート３５を介して送信されてくるデータに応じて、オプション機能である省エネ運転モードが実行中であるか否かを表示したり、圧縮機６１が駆動中であるか否かの表示をしたりする。
【００５１】
電力取得部５０は、空調調和装置１００を構成するＥＥＰＲＯＭ１０、プリント配線基板３０、ディスプレイ４０、室外機６０、室内機７０、コントローラ８０等を駆動させるための動作電力の供給を外部から受ける。この電力取得部５０に対して、外部から電源が投入されることで、上述した各構成が機能する。
【００５２】
室外機６０は、圧縮機６１、ファン６２、および図示しない室外熱交換器等によって構成されている。これらの圧縮機６１およびファン６２は、それぞれ圧縮機操作回路およびファン操作回路（図示せず）を流れる電流によって駆動制御されている。そして、この圧縮機６１の駆動状態やファン６２の駆動状態は、プリント配線基板３０によって読み取られている。
【００５３】
室内機７０は、室外機６０と伴に図示しない冷媒連絡配管によって接続されることで冷凍サイクルを構成している。これにより、室内機７０が設けられた空間において、空調が行われる。
コントローラ８０は、室外機６０および室内機７０による冷暖房等の各種運転モードの設定、設定温度の変更、ＯＮ／ＯＦＦ等の設定を、ユーザから受ける。
【００５４】
＜プリント配線基板によるデータ処理＞
プリント配線基板３０は、ＥＥＰＲＯＭ１０に記録されているデータを読み出して、ディスプレイ４０に各種運転状況を表示出力する等のデータ処理を行う。以下、各処理について説明する。
【００５５】
（スイッチ読込処理）
プリント配線基板３０は、スイッチ読込処理を行うことで、スイッチ２０におけるオプション機能が実行中であるか否かを出力する表示設定もしくは圧縮機６１の駆動状況を出力する表示設定のいずれかの表示設定を読み込むスイッチ読込処理を行う。このスイッチ読込処理は、プリント配線基板３０によって常に（例えば１分間に数回）行われている。このため、ユーザがスイッチ２０を操作して表示設定の切り換えを行った場合であっても、プリント配線基板３０は、すぐに切り換えを認識することができる。
【００５６】
（表示設定データ記録処理）
また、プリント配線基板３０は、上述したスイッチ読込処理によってスイッチ２０から表示設定を読み込んだ場合に、この表示設定を表示設定データとしてＥＥＰＲＯＭ１０に書き込む表示設定データ記録処理を行う。なお、上述したように、プリント配線基板３０は、常にスイッチ読込処理を行っているため、スイッチ２０の切り換えを迅速に認識するとともに、ＥＥＰＲＯＭ１０に対する表示設定データの書き込みの反映も迅速に行われる。
【００５７】
（表示設定データ読込処理）
さらに、プリント配線基板３０は、室外機６０の運転状況からオプション機能である省エネ運転モードが実行中であるか否かのデータを読み込む表示設定データ読込処理を行い、オプション機能データとしてＥＥＰＲＯＭ１０に書き込む。また、この表示設定データ読込処理では、プリント配線基板３０は、室外機６０の圧縮機６１から駆動状況のデータ（圧縮機６１が駆動中であるか否かに関するデータ）の読み込みも行われ、圧縮機駆動データとしてＥＥＰＲＯＭ１０に書き込む。
【００５８】
（運転データ出力処理）
そして、プリント配線基板３０は、データ出力を行おうとする時点で、ＥＥＰＲＯＭ１０に記録されている表示設定データを読み込み、オプション機能データの表示設定と圧縮機駆動データの表示設定とのいずれの表示設定であるか判断する。ここで、設定されている側のデータ内容をプリント配線基板３０に接続されている室外機６０の各機器から読み込むか、または、ＥＥＰＲＯＭ１０の記録データから設定されている側のデータ（オプション機能データ、もしくは、圧縮機駆動データ）を読み込むことで、出力ポート３５を介してディスプレイ４０に表示させるデータを送る運転データ出力処理を行う。
【００５９】
＜データ処理の流れ＞
図２に、切り換え表示のデータ処理の流れについてのフローチャートを示す。
ここでは、ＥＥＰＲＯＭ１０に記録されている表示設定データに従って、プリント配線基板３０がディスプレイ４０に対してデータの出力表示を行う流れについて、説明する。
【００６０】
この空調調和装置１００における空調データの処理は、電源取得部５０に対して外部から電力が供給されること（図２で示す「電源投入」）によって開始される。
【００６１】
ステップＳ１０では、プリント配線基板３０は、まず、ＥＥＰＲＯＭ１０に記録されている表示設定データを読み込む。そして、ステップＳ１１に移行する。
【００６２】
ステップＳ１１では、プリント配線基板３０は、ステップＳ１０の処理において読み出した設定がオプション機能を出力する表示設定であるか否か判断する。ここで、オプション機能を出力する表示設定であるとプリント配線基板３０が判断した場合には、ステップＳ１２に移行する。他方、オプション機能を出力する表示設定ではないとプリント配線基板３０が判断した場合には、ステップＳ１３に移行する。
【００６３】
ステップＳ１２では、オプション機能を出力する表示設定であると判断しているため、プリント配線基板３０は、出力ポート３５を介してオプション機能の内容を示す信号を出力する。これにより、ディスプレイ４０には、オプション機能である省エネ運転モードが実行中である旨の画像データが表示される。そして、その後は、再度ステップＳ１０に戻り、上記処理を繰り返す。
【００６４】
ステップＳ１３では、オプション機能を出力する表示設定ではないと判断しているため、プリント配線基板３０は、出力ポート３５を介して圧縮機６１の駆動状態を示す信号を出力する。これにより、ディスプレイ４０には、圧縮機６１が駆動しているか否かを示す旨の画像データが表示される。そして、その後は、再度ステップＳ１０に戻り、上記処理を繰り返す。
【００６５】
なお、ここでは、プリント配線基板３０が運転データ出力処理を行う度に、プリント配線基板３０がＥＥＰＲＯＭ１０に記録されている表示設定データを読み込んでいる。このため、ステップＳ１２のオプション機能の表示出力やステップＳ１３の圧縮機６１の表示出力が行われた後に、ユーザによってスイッチ２０の表示設定が切り換えられた場合には、プリント配線基板３０はＥＥＰＲＯＭ１０の表示設定データに迅速に反映させて、次回の表示出力からは、切り換えられた後の表示設定がプリント配線基板３０によって読み込まれ、切り換えられた後の表示設定に基づいた運転データ出力処理が行われる。
【００６６】
＜本実施形態の空気調和装置の特徴＞
（１）
本実施形態の空調調和装置１００では、ユーザがスイッチ２０の表示設定を切り換えるだけで、オプション機能についての出力表示と、圧縮機６１の駆動状況に関する出力表示とを１つの出力ポート３５から択一的に出力させることができる。これにより、プリント配線基板３０が、オプション機能について出力表示と圧縮機６１の駆動状況に関する出力表示との両方をディスプレイ４０に表示させようとした場合に、プリント配線基板３０において出力ポートを複数設けることなく、プリント配線基板３０の表面積の拡大化を抑えることができる。これにより、プリント配線基板３０が収容される装置の大型化を抑えることができる。
【００６７】
また、オプション機能としての省エネ運転モードの実行状況のデータが不要な場合であっても、出力ポート３５を有効利用することで、圧縮機６１等の駆動状況のデータの表示出力を得ることができる。
【００６８】
なお、上述のように、圧縮機６１の駆動状況に関するデータを得ることにより、空調の運転時間の監視や電力消費量の把握等に利用することができる。すなわち、圧縮機６１の運転状況のデータを運転時間の監視や電力消費量のデータの算出に利用等したい場合には、単に、ユーザがスイッチ２０の表示設定を切り換えるだけで足りることになる。
【００６９】
（２）
本実施形態の空調調和装置１００では、表示設定データが記録される媒体が不揮発性メモリのＥＥＰＲＯＭ１０であるため、運転停止等によって電源供給状態が途絶えたとしても、表示設定データは消滅することなく、ＥＥＰＲＯＭ１０に記録されたままで保持される。これにより、復電後において運転を再開する場合においても、ユーザが前回運転時に設定しておいた内容に従った運転データ出力処理を自動的に実行することができる。
【００７０】
（３）
本実施形態の空調調和装置１００では、プリント配線基板３０が運転データ出力処理を行う度に、プリント配線基板３０がＥＥＰＲＯＭ１０に記録されている表示設定データを読み込んで確認している。このため、ユーザによってスイッチ２０の表示設定が切り換えられた場合には、プリント配線基板３０は、切り換えを迅速に反映させて、切り換え後の表示設定に従った運転データ出力処理を行うことができる。
【００７１】
＜本実施形態の変形例＞
（Ａ）
上記実施形態の空調調和装置１００では、このＥＥＰＲＯＭ１０に記録されている表示設定データに従ってプリント配線基板３０が表示出力する場合について例に挙げて説明した。
【００７２】
しかし、本発明はこれに限られるものではなく、例えば、図３に示す空調調和装置２００のように、ＥＥＰＲＯＭ１０に対するプリント配線基板３０により表示設定データ記録処理を行わない構成としてもよい。この場合には、プリント配線基板３０は、運転データ出力処理を行う度に、スイッチ２０の切り換え状態を把握し、この切り換え状態に応じて、出力データを選択するようにしてもよい。
【００７３】
（Ｂ）
また、上記実施形態の空調調和装置１００では、室外機６０の圧縮機６１の運転状況データが必要であるとして、オプション機能データと圧縮機駆動データとから択一的に表示出力する場合を例に挙げて説明した。
【００７４】
しかし、本発明はこれに限られるものではなく、図３に示す空調調和装置２００のように、室外機６０のファン６２の運転状況データが必要であるとして、オプション機能データとファン駆動データとから択一的に表示出力するようにしてもよい。
【００７５】
また、空調調和装置２００が、例えば、通常運転モードと、省エネ運転モードとのいずれの運転モードによって空調が行われる場合において、圧縮機駆動データやファン駆動データでなく、空調調和装置２００の運転モードを表示出力するようにしてもよい。これにより、空調調和装置２００が実行している運転モードを把握することができるようになる。
【００７６】
（Ｃ）
上記実施形態の空調調和装置１００では、スイッチ２０による切り換えにより表示設定データをプリント配線基板３０が読み込んでＥＥＰＲＯＭ１０に格納する場合について例に挙げて説明した。
【００７７】
しかし、本発明はこれに限られるものではなく、例えば、図４に示す空調調和装置３００のように、スイッチ２０を備えず、ＥＥＰＲＯＭ１０において表示設定データを予め記録させておくようにしてもよい。この場合において、プリント配線基板３０が、このＥＥＰＲＯＭ１０に記録されている表示設定データに従ってオプション機能データもしくは圧縮機駆動データのいずれかを選んで表示出力するようにしてもよい。
【００７８】
このため、ユーザがＥＥＰＲＯＭ１０に予め記録させておく表示設定データを変更するだけで、オプション機能についての出力表示と、圧縮機６１の駆動状況に関する出力表示とを１つの出力ポート３５から択一的に出力させることができる。これにより、プリント配線基板３０において出力ポートを複数設けることなく、プリント配線基板３０が、オプション機能について出力表示と、圧縮機６１の駆動状況に関する出力表示との両方をディスプレイ４０に表示させることができる。
【００７９】
また、オプション機能としての省エネ運転モードに関するデータが不要な場合であっても、出力ポート３５を有効利用することで、圧縮機６１等に関するデータの表示出力を得ることができる。
【００８０】
なお、上述のように、圧縮機６１の駆動状況に関するデータを得ることにより、空調の運転時間の監視や電力消費量の把握等に利用することができる。すなわち、圧縮機６１の運転状況のデータを運転時間の監視や電力消費量のデータの算出に利用等したい場合には、単に、ユーザがＥＥＰＲＯＭ１０に予め記録させておく表示設定データを選択するだけで足りることになる。
【００８１】
（Ｄ）
上記実施形態の空調調和装置１００では、スイッチ２０による切り換えにより表示設定データをプリント配線基板３０が読み込んでＥＥＰＲＯＭ１０に格納し、このＥＥＰＲＯＭ１０に記録されている表示設定データに従って表示出力する場合について例に挙げて説明した。
【００８２】
しかし、本発明はこれに限られるものではなく、例えば、図５のフローチャートにおいて示すように、電力取得部５０に対して電力が供給された時点で、プリント配線基板３０が、ＥＥＰＲＯＭ１０に記録されている表示設定データを読み込むようにしてもよい。この後は、電力の供給が一端途絶えて、再度供給が開始されるまで、プリント配線基板３０が認識している表示設定データを維持することができる。
【００８３】
ここでのデータ処理の流れは、具体的には、以下のようになる。なお、空調データの処理が、電源取得部５０に対する外部からの電力供給の開始によって始まる点（図５で示す「電源投入」）は、上記実施形態と同様である。
【００８４】
ステップＳ２０では、プリント配線基板３０は、まず、ＥＥＰＲＯＭ１０に記録されている表示設定データを読み込む。そして、ステップＳ２１に移行する。
【００８５】
ステップＳ２１では、プリント配線基板３０は、ステップＳ２０の処理において読み出した設定がオプション機能を出力する表示設定であるか否か判断する。ここで、オプション機能を出力する表示設定であるとプリント配線基板３０が判断した場合には、ステップＳ２２に移行する。他方、オプション機能を出力する表示設定ではないとプリント配線基板３０が判断した場合には、ステップＳ２３に移行する。
【００８６】
ステップＳ２２では、オプション機能を出力する表示設定であると判断しているため、プリント配線基板３０は、出力ポート３５を介してオプション機能の内容を示す信号を出力する。これにより、ディスプレイ４０には、オプション機能である省エネ運転モードが実行中である旨の画像データが表示される。そして、その後は、再度ステップＳ２１に戻り、上記処理を繰り返す。
【００８７】
ステップＳ２３では、オプション機能を出力する表示設定ではないと判断しているため、プリント配線基板３０は、出力ポート３５を介して圧縮機６１の駆動状態を示す信号を出力する。これにより、ディスプレイ４０には、圧縮機６１が駆動しているか否かを示す旨の画像データが表示される。そして、その後は、再度ステップＳ２２に戻り、上記処理を繰り返す。
【００８８】
そして、ここでは、プリント配線基板３０によるＥＥＰＲＯＭ１０の表示設定データの表示設定データ読込処理（Ｓ２０）は、電源投入時に１回のみ行われ、上記実施形態と異なり、運転データ出力処理を行う毎に表示設定データ読込処理を行うようなことはしない。すなわち、プリント配線基板３０は、電源投入時においてＥＥＰＲＯＭ１０に記録されている表示設定データにしたがった運転データ出力処理を実行し続け、一端電源が切れるまでは、例えユーザによってスイッチ２０の切り換えが行われたとしても、表示出力するデータは変わらない。これにより、運転途中における表示出力の不意の切り換えを防止することができ、表示出力の安定性を向上させることができる。
【産業上の利用可能性】
【００８９】
本発明を利用すれば、プリント配線基板の表面積の拡大化、装置の大型化を伴うことなく複数のデータを択一的に出力することができるため、特に、複数種類の空調に関するデータを選択的に扱う空気調和装置に適用することができる。
【図面の簡単な説明】
【００９０】
【図１】本発明の一実施形態にかかる空気調和装置の概略ブロック構成図である。
【図２】空気調和装置におけるデータ処理フローチャートである。
【図３】変形例（Ａ）の空調調和装置における概略ブロック構成図である。
【図４】変形例（Ｃ）の空調調和装置における概略ブロック構成図である。
【図５】変形例（Ｄ）の空調調和装置におけるデータ処理フローチャートである。
【符号の説明】
【００９１】
１０    不揮発性記憶部（空調データ記憶部、空調データ取得部、選択記憶部）
２０    スイッチ（選択部）
３０    データ処理部（プリント配線基板）
３５    出力ポート（出力手段）
５０    電力取得部
６１    圧縮機
６２    ファン（室外送風ファン）
１００、２００、３００    空調調和装置
【図１】
2007333245.tif 000003
【図２】
2007333245.tif 000004
【図３】
2007333245.tif 000005
【図４】
2007333245.tif 000006
【図５】
2007333245.tif 000007